(57)【要約】【課題】複合Ｈ型鋼材と他の建築用部材とをホールダウンボルトを用いて簡単に、作業性よく結合できるホールダウンボルトの固定構造を提供する。【解決手段】ホールダウンボルト３の一端が挿通する支持筒４１と該支持筒４１を固定する固定板４２とからなるボルト固定金具４と、柱９に固定され、かつ上記ホールダウンボルト３の他端が挿通して保持されるホールダウン金具５とからなり、上記ボルト固定金具４は複合Ｈ型鋼材Ａのウエブ１１に取り付けられるとともに、上記支持筒４１を挿通したホールダウンボルト３の一端は上記ボルト固定金具４に固定され、上記ホールダウンボルト３の他端は複合Ｈ型鋼材Ａのフランジ部ロを貫通して上記ホールダウン金具５に保持される。【選択図】図３
2010070905.tif 000002
【特許請求の範囲】
【請求項１】
ホールダウンボルトの一端が挿通する支持筒と該支持筒を固定する固定板とからなるボルト固定金具と、柱に固定され、かつ上記ホールダウンボルトの他端が挿通して保持されるホールダウン金具とからなるホールダウンボルトの固定構造であって、上記ボルト固定金具は複合Ｈ型鋼材のウエブに取り付けられるとともに、上記支持筒を挿通したホールダウンボルトの一端は上記ボルト固定金具に固定され、上記ホールダウンボルトの他端は複合Ｈ型鋼材のフランジ部を貫通して上記ホールダウン金具に保持されるホールダウンボルトの固定構造。
【発明の詳細な説明】
【技術分野】
【０００１】
本願発明は、Ｈ型鋼と他の材料、例えば木質帯板とを複合させて形成される複合Ｈ型鋼材の固定構造に関し、さらに詳しくは、建築物の構造材として用いられる上記複合Ｈ型鋼材と柱、梁等、他の部材とをホールダウンボルトを用いて固定する固定構造に関するものである。
【背景技術】
【０００２】
近年、一般住宅にも耐震性、耐久性の向上が求められ、従来の木造住宅の駆体部分、例えば、柱、間柱、土台、横架材等を鉄骨材に置き換えた住宅が普及しつつある。このとき、鉄骨材としては、安価で、かつ、強度的にも優れている点からＨ型の断面を有するＨ型鋼が使用されることが多い。
【０００３】
しかしながら、上記Ｈ型鋼を住宅の駆体部分に使用するとき、胴縁、根太等、他の木質材料との造作がしにくいため、Ｈ型鋼の上下の各フランジ部分の外表面に該フランジと略同一幅を有する木質帯板を貼着して複合し、一般的に複合Ｈ型鋼材として使用されている。
【０００４】
例えば、上記複合Ｈ型鋼材を梁として用いるとき、この複合Ｈ型鋼材と柱とを結合する場合、通常、ホールダウンボルトを用いて固定することが行われている。ホールダウンボルトは、ホールダウン金具と呼ばれる引き寄せ金具を介してホールダウンナットを螺進することによって引き寄せられ、締め付けて固定される。
【０００５】
本願図４は、上記ホールダウンボルト３によって梁として用いられた複合Ｈ型鋼材Ａと柱９とを結合した状態を示す説明図である。本願図４に示されているように、上記複合Ｈ型鋼材Ａはウエブ１１と上フランジ１２、下フランジ１３とからなるＨ型鋼１と木質帯板２とからなり、上フランジ１２と下フランジ１３との外表面のそれぞれに上下フランジ１２、１３と略同幅の木質帯板２を接着、ビス固定等の固着手段により適宜固着して形成される。
【０００６】
上記ホールダウンボルト３は一端に偏芯座金８が固着されているとともに、他端は上記木質帯板２と上フランジ１２とからなる上フランジ部イと、木質帯板２と下フランジ１３とからなる下フランジ部ロとを貫通し、ホールダウン金具５のボルト挿通部５１を挿通してホールダウンナット６２に螺合し、保持される。上記ホールダウン金具５は、その柱固定部５２が柱９にしっかりとビス固定されているため、ホールダウンナット６２を螺進することにより上記偏芯座金８は上フランジ部イの上面に係合するとともに、ホールダウンボルト３はホールダウン金具５に引き寄せられ、締め付けられる。このようして、上記複合Ｈ型鋼材Ａと柱９とはホールダウンボルト３によって結合され、しっかりと保持される。
【０００７】
一方、特開２００４−６８５５９号公報には、上下に対向する横架材間に多数の柱を左右に所定の間隔をおいて起立配置し、壁が形成される部位の上下横架材及び左右柱の各対面側の長手方向略全域に、互いに対向するＬ型の鉄製枠に鉄板材を並列配置した複数組の配列鉄板を互いに交叉状に重ね合わせて方形に組付けた組芯材を設けるとともに、各横架材及び各柱に固定したことを特徴とする木造建築物の補強装置が開示されている。そして、組芯材の外枠の数カ所に穴を設け、ホールダウンアンカーボルト、連結ボルト、コーチスクリューボルトなどと連結することによって柱、桁、梁が引き抜けないように固定され、壁が形成される部位の横架材及び柱を強固に補強することができる旨の効果が記載されている。
【特許文献１】特開２００４−６８５５９号公報
【発明の開示】
【発明が解決しようとする課題】
【０００８】
上記特許文献１に記載の技術においては、その図１、図２に示されているように、ホールダウンボルト受金物が横架材の上面に突き出ており、また、本願図４に記載のホールダウンボルト３においては、偏芯座金８が梁の上面、すなわち上記複合Ｈ型鋼材Ａの上フランジ部イの上面に凸設されている。しかしながら、このようにホールダウンボルト受金物、あるいは偏芯座金８が露出し、凸設されていると、束、根太、床下地材等の施工時に干渉するため、天端材の切り欠き、床下地材の切り欠き等の手間のかかる作業が必要となる。その結果、施工時の作業効率が低下し、施工コストが上昇するという問題が生じる。
【０００９】
本願発明は、上記背景技術に鑑みてなしたものであり、その目的は、Ｈ型鋼と例えば、木質帯板とからなる複合Ｈ型鋼材を建築物の構造材として用いたとき、上記複合Ｈ型鋼材と柱、間柱、根太等、他の部材とをホールダウンボルトを用いて固定する際、上記ホールダウンボルトの露出部をなくし、簡単に、かつ作業性よく、上記他の部材とを結合できるホールダウンボルトの固定構造を提供することである。
【課題を解決するための手段】
【００１０】
上記課題を解決するために、本願請求項１に記載の発明に係るホールダウンボルトの固定構造は、ホールダウンボルトの一端が挿通する支持筒と該支持筒を固定する固定板とからなるボルト固定金具と、柱に固定され、かつ上記ホールダウンボルトの他端が挿通して保持されるホールダウン金具とからなるホールダウンボルトの固定構造であって、上記ボルト固定金具は複合Ｈ型鋼材のウエブに取り付けられるとともに、上記支持筒を挿通したホールダウンボルトの一端は上記ボルト固定金具に固定され、上記ホールダウンボルトの他端は複合Ｈ型鋼材のフランジ部を貫通して上記ホールダウン金具に保持されることを特徴としている。上記木質帯板としては、無垢板材、集積材、構造用合板、クロス合板、パーティクルボード、ＭＤＦ（中密度繊維板）、ＷＢＰ（ウッドプラスチックボード）等をあげることができる。
【発明の効果】
【００１１】
本願請求項１記載の発明に係るホールダウンボルトの固定構造においては、ホールダウンボルトの一端を固定するボルト固定金具と、柱に固定され、かつ上記ホールダウンボルトの他端が挿通、保持されるホールダウン金具とからなり、上記ボルト固定金具は複合Ｈ型鋼材のウエブに取り付けられている。そのため、例えば、複合Ｈ型鋼材を梁として用いたとき、その下フランジ部に穿たれた貫通孔を貫通したホールダウンボルトの下端部を、梁の下方に配設するとともに、柱に固定されたホールダウン金具とホールダウンナットとによって保持することにより、複合Ｈ型鋼材の上フランジ部に凸設部分が生じることをなくすことができる。
【００１２】
同様に、複合Ｈ型鋼材の上フランジ部に穿たれた貫通孔を貫通したホールダウンボルトの上端部を、梁の上方に配設するとともに、柱に固定されたホールダウン金具とホールダウンナットとによって保持することにより、複合Ｈ型鋼材の下フランジ部に凸設部分が生じることをなくすことができる。
【００１３】
そして、例えば、複合Ｈ型鋼材を梁として用いたとき、束、根太、床下地材等の施工時には、凸設部分がなくされているため、従来、行われていた天端材の切り欠き、床下地材の切り欠き等の手間のかかる作業が不必要となる。その結果、建築物の構造材として用いた複合Ｈ型鋼材と他の部材とをホールダウンボルトを用いて簡単に、かつ作業性よく固定することができる。
【発明を実施するための最良の形態】
【００１４】
以下、本願発明のホールダウンボルトの固定構造に係る実施形態について図面を参照して詳細に説明する。図１（ａ）は、図外複合Ｈ型鋼材のウエブに取り付けられ、図外ホールダウンボルトの上端が挿通する支持筒４１と該支持筒４１を固定する固定板４２とからなるボルト固定金具４を示す正面図であり、図１（ｂ）は上記ボルト固定金具４を示す平面図である。また、上記固定板４２の四隅には、上記ボルト固定金具４を複合Ｈ型鋼材Ａのウエブ１１に固定するための後記固定ボルト７１が挿通するボルト孔４２１が設けられている。
【００１５】
図２は本願発明に係るホールダウンボルトの固定構造を用いて複合Ｈ型鋼材Ａからなる梁と柱９とを結合した状態を複合Ｈ型鋼材Ａの長手方向を正面に見て示す説明図である。図３は同じく複合Ｈ型鋼材Ａをその側面方向から見て示す説明図である。図２、図３に示されているように、上記ボルト固定金具４は複合Ｈ型鋼材Ａのウエブ１１に固定されるとともに、ホールダウンボルト３の上端部は上記支持筒４１に挿通、固定され、ホールダウンボルト３の下端部は柱固定部５２を介して柱９に固定されたホールダウン金具５のボルト挿通部５１に挿通、固定されている。
【００１６】
すなわち、上記した固定ボルト７１はボルト孔４２１とウエブ１１とを貫通して図３に示されるように固定ナット７２で固定され、かくしてボルト固定金具４は複合Ｈ型鋼材Ａのウエブにしっかりと固定される。また、ホールダウンボルト３の上端部は上記支持筒４１を上方に挿通して固定用ナット６１でしっかりと螺着し、固定される。
【００１７】
一方、木質帯板２と下フランジ１３とからなる下フランジ部ロには、ホールダウンボルト３が貫通する貫通孔１３１が穿たれ、上記貫通孔１３１を貫通したホールダウンボルト３の下端部は柱９に固定されたホールダウン金具５のボルト挿通部５１に挿通し、ホールダウンナット６２に螺合して締め付け固定される。
【００１８】
上記したように本願発明に係るホールダウンボルトの固定構造においては、図２、図３に示されているように、ホールダウンボルト３の上端部はボルト固定金具４によってウエブ１１に固定されているため、木質帯板２と上フランジ１２とからなる上フランジ部イを貫通することなく、本願図４に示す従来の構造のように上フランジ部イの上面に偏芯座金８の露出による凸設部分が生じることはない。したがって、束、根太、床下地材等の施工時に干渉する凸設部分がないため、従来、行われていた天端材の切り欠き、床下地材の切り欠き等の手間のかかる作業が不必要となり、建築物の構造材として用いられた複合Ｈ型鋼材Ａと柱、間柱、根太等、他の部材とをホールダウンボルトを用いて簡単に、かつ作業性よく固定することができる。
【００１９】
なお、上記した実施形態は、梁として用いた複合Ｈ型鋼材Ａの下方に柱９を配設した場合について述べたが、複合Ｈ型鋼材Ａの上方に柱９を配設してもよい。また、複合Ｈ型鋼材Ａを挟んで上方と下方に柱９を配設してもよい。このように、本願発明は設計変更自在であり、特許請求の範囲を逸脱しない限り、本願発明の技術的範囲に属する。
【図面の簡単な説明】
【００２０】
【図１】（ａ）はボルト固定金具を示す正面図、（ｂ）は同ボルト固定金具を示す平面図。
【図２】本願発明に係るホールダウンボルトの固定構造を用いて複合Ｈ型鋼材からなる梁と柱とを結合した状態を複合Ｈ型鋼材の長手方向を正面に見て示す説明図。
【図３】本願発明に係るホールダウンボルトの固定構造を用いて複合Ｈ型鋼材からなる梁と柱とを結合した状態を複合Ｈ型鋼材をその側面方向から見て示す説明図。
【図４】ホールダウンボルトで梁として用いられた複合Ｈ型鋼材と柱とを結合した公知の構造を示す説明図。
【符号の説明】
【００２１】
Ａ      複合Ｈ型鋼材
イ      上フランジ部
ロ      下フランジ部
１      Ｈ型鋼
１１    ウエブ
１２    上フランジ
１３    下フランジ
１３１  貫通孔
２      木質帯板
３      ホールダウンボルト
４      ボルト固定金具
４１    支持筒
４２    固定板
４２１  ボルト孔
５      ホールダウン金具
５１    ボルト挿通部
５２    柱固定部
６１    固定用ナット
６２    ホールダウンナット
７１    固定ボルト
７２    固定ナット
８      偏芯座金
９      柱
【図１】
2010070905.tif 000003
【図２】
2010070905.tif 000004
【図３】
2010070905.tif 000005
【図４】
2010070905.tif 000006